(57)【特許請求の範囲】
【請求項１】
車両のルーフに設けられた開口部を開閉可能に配置される可動パネルと、
前記開口部の前端部に配置され、前記可動パネルの位置に対応して前記ルーフの面上に展開または、該面の下方に収納可能に配置されるデフレクタを備えるサンルーフ装置において、
前記デフレクタに係止部を設け、該係止部に対して所定の移動が許容される被係止部を備えるストッパ部材を、さらに前記ルーフに対し所定範囲で移動可能にするように配置し、前記被係止部は上下方向に延びる長穴からなり、前記係止部は前記被係止部の長穴に摺動可能に嵌まり、前記デフレクタと前記可動パネルの左右で前記ルーフの内側に設けられるガイドレールの先端部を連結するフレームとの間に前記デフレクタを前記ストッパ部材と共に持ち上げつつ前記デフレクタを前記ストッパ部材に対して持ち上げるように付勢する左右一組のみのスプリングが設けられ、
前記ストッパ部材の前端部分には下側方向に延びるフランジ部が形成され、
前記デフレクタが前記収納状態にあるとき、前記フランジ部の先端部に設けられる当接部材が前記フレームと当接するとともに、前記係止部が前記長穴の最下部に位置し、前記デフレクタが前記起立状態にあるとき、前記係止部が前記長穴の最上部に位置することを特徴とするサンルーフ装置。
【発明の詳細な説明】
【０００１】
【発明が属する技術分野】
本発明は、車両のルーフの開口部を開閉するサンルーフ装置で、特に開口部の前端にデフレクタを備えるものに関する。
【０００２】
【従来の技術】
車両のルーフに設けられた開口部を開閉自在とするサンルーフ装置で、開口部の前端にルーフ面に対して面上に展開、又は面下に格納可能となるデフレクタを備えるものとしては、従来特開２０００−８５３６７に開示されるものが知られている。このデフレクタは係止部を備え、ルーフ面に対して最も上方に展開したときに、係止部がルーフ側に固定された被係止部と当接するように構成している。
【０００３】
【発明が解決しようとする課題】
開放感を向上させるために、ルーフの開口部をより大きく構成するようになってきている。このため、開口部を開放したとき車室内への風の巻き込みによる空気振動を防止するために、開口部の先端部に設けられるデフレクタは、より高く、ルーフ面の上方に展開できるように構成することが必要になってきた。しかしながら、上記した従来技術の構成では展開量を大きくしようとするとデフレクタの高さ寸法が大きくなり、格納したときに車室側に張出して、車室を狭くしてしまう問題が生じる。
【０００４】
本発明は、このような従来技術での問題点を解消するために、小さい格納スペースを維持しつつ、かつ大きな展開量の確保が可能なデフレクタを実現することを課題とする。
【０００５】
【課題を解決するための手段】
上記した課題を解決するために、本発明で講じた技術的手段は、車両のルーフに設けられた開口部を開閉可能に配置される可動パネルと、前記開口部の前端部に配置され、前記可動パネルの位置に対応して前記ルーフの面上に展開または、該面の下方に収納可能に配置されるデフレクタを備えるサンルーフ装置において、
前記デフレクタに係止部を設け、該係止部に対して所定の移動が許容される被係止部を備えるストッパ部材を、さらに前記ルーフに対し所定範囲で移動可能にするように配置し、前記被係止部は上下方向に延びる長穴からなり、前記係止部は前記被係止部の長穴に摺動可能に嵌まり、前記デフレクタと前記可動パネルの左右で前記ルーフの内側に設けられるガイドレールの先端部を連結するフレームとの間に前記デフレクタを前記ストッパ部材と共に持ち上げつつ前記デフレクタを前記ストッパ部材に対して持ち上げるように付勢する左右一組のみのスプリングが設けられ、前記ストッパ部材の前端部分には下側方向に延びるフランジ部が形成され、前記デフレクタが前記収納状態にあるとき、前記フランジ部の先端部に設けられる当接部材が前記フレームと当接するとともに、前記係止部が前記長穴の最下部に位置し、前記デフレクタが前記起立状態にあるとき、前記係止部が前記長穴の最上部に位置したことである。
【０００６】
この構成によって、デフレクタは、ストッパ部材に対するデフレクタの許容移動量と、ストッパ部材のルーフに対する移動範囲の概略和の距離で展開できる。
【０００７】
【発明の実施の形態】
以下、本発明に関るサンルーフ装置１の実施形態を図１〜図６に従って説明する。
【０００８】
図１は、本発明に関るサンルーフ装置を備える車両のルーフ１０の斜視図である。概略水平の平面であるルーフ１０には略矩形の開口部１1が設けられ、開口部１1を開閉するように前後方向に移動可能な、可動パネル３が取付けられる。図１において矢印で示す左の方向が車両の前方を示す。開口部１１の前端にはデフレクタ７が取付けられている。デフレクタ７は、可動パネル３が後方に移動して開口部１１が開放したとき、ルーフ１０の面の上方に展開し、また可動パネル３が前方に移動して開口部１１が閉じたとき、ルーフ１０の面の下側に格納される構成となっている。
【０００９】
さらに、図６に示すように、可動パネル３は、その左右でルーフ１０の内側に固定されるガイドレール２によって前後方向に移動可能に支持され、また駆動装置５にケーブルギヤ５１、ケーブル５２、５３、連結部材５４、５５を介して連結され、駆動装置５の作動によって前進および後退するように作動する構成となっている。
【００１０】
次に図２に示されるように、デフレクタ７は、開口部１１の前端縁部の内側に沿って横方向に延びる風切部７１と、風切部７１の両側から後方に開口部１１の両側縁の内側に沿って延びる支持部７２を備えている。支持部７２の後端部はガイドレール２に固定されたブラケット２１に枢軸７３で回転自在に取付けられている。
【００１１】
図２に更に示されるように、両側ガイドレール２の先端部を連結するようにフレーム４が固定され、フレーム４とデフレクタ７の間には、デフレクタ７を持ち上げるように付勢するスプリング９が取付けられている。
【００１２】
枢軸７３には、ストッパ部材８が回転自在に取付けられている。ストッパ部材８はデフレクタ７の支持部７２の下方に配置され、支持部７２と同様に前後方向に延びた形状となっている。そして、その前端部分には上下方向に延る長穴８３と、下側前方に延びるフランジ部８１が形成されている。長穴８３にはデフレクタ７の風切部７１の下面から下方に突起するアーム７４に形成された爪部７５が摺動可能に嵌っている。これによって、スプリング９によってストッパ部材８を上方に引き上げるように作用している。
【００１３】
図３に示されるように、ストッパ部材８のフランジ部８１の先端部には当接部材８２が取付けられている。当接部材８２は図３の位置にあるとき、図４に示されるようにルーフ１０側にフランジ部材１２の下端部と当接し上方への移動が阻止される。このため、爪部７５を介してデフレクタ７の上方への展開高さが規制される構成となっている。一方、図３に示すようにストッパ部材８が２点差線で示される位置に下がったとき、当接部材８２はフレーム４の上面と当接しそれ以上の下方移動を規制される。
【００１４】
以上のように構成されるデフレクタ７を備えるサンルーフ装置１に作動を説明する。
【００１５】
図３に示される位置から、可動パネル３が開口部１１を閉じるように前方に移動すると、可動パネル３の下面部に突起する補強部３１の下面が、デフレクタ７の支持部７２の上面７２ａと当接し、デフレクタ７をスプリング９に抗して押し下げ、図３に２点差線で示される格納位置にする。このとき、爪部７５は長穴８３の最下部に位置してストッパの振動などによりガタつきを抑える。一方可動パネル３が、開口部１１を開放するように後方に移動すると、デフレクタは展開するように持ち上がり、補強部３１の下面と支持部７２の上面７２ａの当接が解除されると、風切り部７１の上端部は、図５に示されるようにルーフ１０の上面より、必要とする展開高さＨを得ることができるように作動する。
【００１６】
上記実施例では、ストッパ部材８とデフレクタ７を同一回転軸７３上に配置したが、別々の軸に配置しても構成上問題はなく、本発明は上記の構成に限定されるものではない。また、ストッパ部材８を左右に１つづつ備える実施例を示したが、ストッパ部材を片側に互いに連結するように複数で構成しよりおおくの上方への展開量が実現可能に構成することも可能である。
【００１７】
【発明の効果】
上記したように本発明の構成とその作用によれば、デフレクタ７の展開高さＨは、ストッパ部材８に対するデフレクタ７の許容移動量と、ストッパ部材８のルーフ１０に対する所定の移動範囲の和となり、大きな移動量が得られ、大きな開口部１１でも風の巻き込みを良く抑えることができるようになる。
【図面の簡単な説明】
【図１】  本発明に係るサンルーフ装置を備える車両ルーフの斜視図である。
【図２】  図１における、Ａ部分の斜視図である。
【図３】  図２における、Ｂ−Ｂ部分の断面図である。
【図４】  図３における、Ｃ−Ｃ部分の断面図である。
【図５】  図１における、Ｄ−Ｄ部分の断面図である。
【図６】  本発明に係るサンルーフ装置を備える車両ルーフの平面図である。
【符号の説明】
２  ガイドレール
３  可動パネル
４  フレーム
７  デフレクタ
８  ストッパ部材
９  スプリング
１０  ルーフ
１１  開口部
７５  爪部（係止部）
８１  フランジ部
８２  当接部材
８３  長穴（被係止部）
【図１】
0004235402.tif 000002
【図２】
0004235402.tif 000003
【図３】
0004235402.tif 000004
【図４】
0004235402.tif 000005
【図５】
0004235402.tif 000006
【図６】
0004235402.tif 000007